(57)【要約】【課題】設置時の安定性を確保しつつ、従来よりも、より簡便な操作でキャスタの出没が可能な移動型支持台を提供する。【解決手段】本発明の移動型支持台１は、底面にキャスタ２１を有する基台ユニット２と、基台ユニット２を囲むカバー３１を備えた昇降ユニット３とからなる。昇降ユニット３は、基台ユニット２の略中央に保持された定荷重バネ２５を介して基台ユニット２から懸吊される。さらに、基台ユニット２に設けられた昇降案内筒２４と、昇降ユニット３に取り付けられて上記昇降案内筒２４に挿入される昇降ピラー３４とからなる昇降案内装置により、昇降ユニット３が基台ユニット２に対して一定寸法範囲内で昇降自在に案内保持される。【選択図】図１
2005163393.tif 000002
【特許請求の範囲】
【請求項１】
底面に移動用キャスタを有する基台ユニットと、上記基台ユニットを囲むカバーを備えた昇降ユニットとからなり、
昇降ユニットは、基台ユニット側に保持されたバネ部材を介して基台ユニットから懸吊されるとともに、
基台ユニット側に設けられた円筒状の昇降案内筒と、昇降ユニット側に取り付けられて上記昇降案内筒内に回転自在に挿入される昇降ピラーとを備えた昇降案内装置により、昇降ユニットが基台ユニットに対して一定寸法範囲内で昇降自在に保持されることを特徴とする移動型支持台。
【請求項２】
昇降案内装置は、昇降案内筒の側面に形成されたガイド溝と、昇降ピラーの側面に取り付けられて上記ガイド溝に係合するガイドピンとを備え、
上記ガイド溝が、昇降ユニットの昇降ストローク長に対応する縦長の垂直部と、この垂直部の上下両端から横方向に延びる上下の係止部とを有することを特徴とする請求項１に記載の移動型支持台。
【請求項３】
ガイド溝の下端係止部が、垂直部から離れる方向に向かって下方傾斜するように形成されたことを特徴とする請求項２に記載の移動型支持台。
【請求項４】
昇降ピラーの上端に回転運動伝達機構を設け、この回転運動伝達機構を介して側方に操作杆を延設し、操作杆の端部を昇降ユニットの側面に露出させることにより、昇降ユニットの外側から昇降ピラーを回転させて昇降ユニットを昇降させることができるように構成されたことを特徴とする請求項１に記載の移動型支持台。
【請求項５】
バネ部材がロール状の定荷重バネであることを特徴とする請求項１に記載の移動型支持台。
【発明の詳細な説明】
【技術分野】
【０００１】
本発明は、多目的タイプの移動型支持台に関する。
【背景技術】
【０００２】
屋外の公共的な場所で、例えば車止めや歩行者の通行止めとして、あるいはベンチや灰皿台等として利用される多目的タイプの支持台が知られている。この支持台は、数十ｃｍ程度の高さに形成され、単体で任意の場所に据え置かれたり、複数個を適宜間隔で配置してバーやチェーンを架け渡すなどの態様で利用されている。かかる支持台は、風圧や衝撃で容易に転倒したり、無関係の第三者が勝手に移動させたりすることのないよう、数十ｋｇ程度の重さに形成されて、設置時の安定化が図られている。
【０００３】
ただし、この種の支持台は、その場所に固定されるものではなく、必要に応じて任意の場所に据え置かれるものであるから、不要になったり、置き場所を変更したりする際には、支持台の移動も容易でなければならない。しかし、単体で数十ｋｇにもなる支持台を人が持ち上げて運ぶのはきわめて困難である。
【０００４】
そこで、設置時の安定性と移動の容易性を両立させるため、基台部分の底面に移動用のキャスタを取り付けて、そのキャスタを必要に応じ底面側に出没させるようにした移動型支持台が提案されている（例えば特許文献１）。
【特許文献１】特開平８−２０７５０６号公報
【発明の開示】
【発明が解決しようとする課題】
【０００５】
上記特許文献１記載の移動型支持台は、移動に際して、基台よりも上部の外殻体（支持台フレーム）を手で持ち上げるか、支持台自体を少し傾け、これと同時にロック機構を操作して、キャスタを下方に突出させるように構成されている。しかしながら前述のように、支持台や外殻体が相当の重量になる場合は、外殻体を持ち上げたり支持台を傾けたりする作業も決して楽ではない。特に、この種の支持台が利用されるような現場では、高齢の警備員が作業を担当することも多いので、支持台の設置・移動作業における負担の軽減は強く求められているところである。
【０００６】
そこで本発明は、設置時の安定性を確保しつつ、従来よりも、より簡便な操作でキャスタの出没が可能な移動型支持台を提供することを解決課題とする。
【課題を解決するための手段】
【０００７】
前記課題を解決するため、本発明の移動型支持台は、底面に移動用キャスタを有する基台ユニットと、上記基台ユニットを囲むカバーを備えた昇降ユニットとからなり、昇降ユニットは、基台ユニット側に保持されたバネ部材を介して基台ユニットから懸吊されるとともに、基台ユニット側に設けられた円筒状の昇降案内筒と、昇降ユニット側に取り付けられて上記昇降案内筒内に回転自在に挿入される昇降ピラーとを備えた昇降案内装置により、昇降ユニットが基台ユニットに対して一定寸法範囲内で昇降自在に保持されることを特徴とする。
【０００８】
さらに、本発明の移動型支持台は、上記昇降案内装置が、昇降案内筒の側面に形成されたガイド溝と、昇降ピラーの側面に取り付けられて上記ガイド溝に係合するガイドピンとを備え、上記ガイド溝は、昇降ユニットの昇降ストローク長に対応する縦長の垂直部と、この垂直部の上下両端から横方向に延びる上下の係止部とを有することを特徴とする。
【０００９】
さらに、本発明の移動型支持台は、上記ガイド溝の下端係止部が、垂直部から離れる方向に向かって下方傾斜するように形成されたことを特徴とする
また、本発明の移動型支持台は、昇降ピラーの上端に回転運動伝達機構を設け、この回転運動伝達機構を介して側方に操作杆を延設し、操作杆の端部を昇降ユニットの側面に露出させることにより、昇降ユニットの外側から昇降ピラーを回転させて昇降ユニットを昇降させることができるように構成されたことを特徴とする
また、本発明の移動型支持台において、上記バネ部材がロール状の定荷重バネであることを特徴とする。
【発明の効果】
【００１０】
本発明の移動型支持台は、昇降ユニットが基台ユニットからバネ部材を介して懸吊されるとともに、昇降案内装置によって昇降自在に保持されているので、移動型支持台自体を持ち上げたり傾けたりしなくとも、昇降ユニットを昇降案内装置に沿って昇降させることにより、底部から移動用キャスタを出没させることができる。これにより、昇降ユニットを所定の位置に据え置いたり、移動させたりする作業が容易になり、作業者の負担が軽減される。
【発明を実施するための最良の形態】
【００１１】
以下、本発明の実施形態について、図面を参照しつつ説明する。
【００１２】
図１〜図４は、本発明の実施の形態に係る移動型支持台１の全体的な内部構造を示す図であって、図１〜図２は移動可能な状態、図３〜図４は据置き状態をそれぞれ示す。
【００１３】
例示の移動型支持台１は、全高が数十ｃｍ程度の略円柱形状をなすもので、構造的には、底面に移動用キャスタ２１を備えた基台ユニット２と、基台ユニット２に被せられて基台ユニット２に対し数ｃｍ程度昇降する昇降ユニット３とに区別される。
【００１４】
基台ユニット２は、数個のキャスタ２１が取り付けられた略円板状の基台底板２２と、基台底板２２の上面中央に設けられた略箱状のバネ支持部２３と、バネ支持部２３の頂面中央に立設された円筒状の昇降案内筒２４とを備えている。バネ支持部２３には、ロール状の定荷重バネ２５が、回転軸を水平にして二個並列に取り付けられ、バネ支持部２３の正面側及び背面側に形成されたバネ引出窓２６から、定荷重バネ２５の各引出し端がそれぞれ下向きに引き出されている。定荷重バネ二個分を合わせた巻上力は、昇降ユニット３の重量よりも５〜２０ｋｇｆ程度大きくなるように設定されている。
【００１５】
一方、昇降ユニット３は、外殻部分を構成するカバー３１と、カバー３１の下部に取り付けられたカバー底板３２と、カバー底板３２に取り付けられた略門形の昇降ピラー支持フレーム３３と、昇降ピラー支持フレーム３３の中央に保持された円柱状の昇降ピラー３４とを備えている。
【００１６】
カバー３１は、円筒状の側面と平坦な頂面とを有して、底面が開口している。カバー３１の下部近傍は、カバー３１の内側に取り付けられた適宜の連結部材３５を介して、カバー底板３２の周縁部に結合されている。カバー３１の裾縁部には合成ゴムまたは合成樹脂
等からなる保護材３６が取り付けられている。
【００１７】
カバー底板３２は、中央に略矩形の開口部（図示せず）を有する円板状の部材で、この開口部に基台ユニット２のバネ支持部２３を下側から挿入した状態で、基台底板２２の上側に配置される。開口部近傍には、上記基台ユニット２のバネ支持部２３に面するようにしてバネ連結板３７が取り付けられており、このバネ連結板３７が定荷重バネ２５の引出し端に連結されている。これにより、昇降ユニット３全体が、定荷重バネ２５の巻上力によって、基台ユニット２のバネ支持部２３から一定の力で懸吊される。
【００１８】
昇降ピラー支持フレーム３３は、基台ユニット２のバネ支持部２３を跨ぐようにしてカバー底板３２の上面に固定されている。昇降ピラー支持フレーム３３の頂面部３３１には、軸受け部材３３２を介して略円柱状の昇降ピラー３４が回転自在に取り付けられ、この昇降ピラー３４の下部が基台ユニット２の昇降案内筒２４に上方から挿入されている。
【００１９】
昇降ピラー支持フレーム３３の頂面部３３１には軸受け台３３３が設けられ、この軸受け台３３３に、略水平方向に延びる操作杆３８が保持されている。操作杆３８の一端は、かさ歯車３９を利用した回転運動伝達機構を介して昇降ピラー３４の上端に連結され、操作杆３８回転運動を、直角に向きを変えて昇降ピラー３４に伝達させるようになっている。操作杆３８の他端は、昇降ユニット３のカバー３１の側面に設けられた操作孔３１１から露出しており、その端面には、すり割りや六角孔、あるいは十字溝など、適宜の工具類で操作杆３８を回転させることができるような加工が施されている。かさ歯車のギア比は、操作杆側：昇降ピラー側＝１：３程度に設定されて、作業者が軽い力で昇降ピラー３４を回転させることができるようになっている。
【００２０】
図５は、基台ユニット２側の昇降案内筒２４と、昇降ユニット３側の昇降ピラー３４とからなる昇降案内装置の細部を拡大して示す図である。
【００２１】
昇降案内筒２４は、下端にフランジ２４１を有し、このフランジ２４１がバネ支持部２３の頂面にボルト・ナットで固定されている。昇降案内筒２４の内面は直円筒面になっている。
【００２２】
一方、昇降ピラー３４は、昇降案内筒２４の内部に挿入される太径部３４１と、太径部３４１の上方に延びる細径部３４２とからなり、細径部３４２に軸受け部材３３２が取り付けられている。また、昇降ピラー３４の細径部３４２の上方には、軸受け部材３３２が上方に抜けるのを防ぐためのナット部材３３５が取り付けられている。これにより、昇降ピラー支持フレーム３３と、これに結合されたカバー３１やカバー底板３２は、昇降ピラー３４に支承された状態で、かつ昇降ピラー３４に対し軸回りに回転可能に保持される。
【００２３】
昇降ピラー３４の太径部３４１の下部側面には、ガイドピン４０が、昇降ピラー３４を直径方向に貫通して両側面に突出するように取り付けられている。このガイドピン４０は、昇降案内筒２４の側面に形成されたガイド溝２７に係合している。ガイド溝２７は、縦方向に延びる垂直部２７１と、垂直部２７１の上下両端から互いに横方向反対向きに延びる上端係止部２７２、下端係止部２７３とを有している。さらに例示の形態では、昇降案内筒２４の外側下半部に円筒状のガイドピン抜け止めカラー２９が挿装されている。
【００２４】
図６は、昇降案内筒２４のガイド溝２７を側方に展開した状態を示す図である。垂直部２７１の長さＡは２ｃｍないし４ｃｍ程度に設定され、この長さは昇降ユニット３の昇降ストローク長に対応している。また、上端係止部２７２、下端係止部２７３は、軸廻りの中心角Ｂ、Ｃが、それぞれ４５度ないし６０度程度となるように延長されている。上端係止部２７２は、昇降ピラー３４が上昇した時のガイドピン４０の位置をロックし、下端係止部２７３は、昇降ピラー３４が下降した時のガイドピン４０の位置をロックする。例示の形態では、下端係止部２７３が、垂直部２７１から離れる方向に向かって、数ｍｍ程度下方傾斜するように形成されている。この形態によると、昇降ユニット３を押し下げてガイドピン４０を垂直部２７１の下端に当接させた状態から、昇降ピラー３４を回転させることにより、下方傾斜した寸法Ｄだけ、昇降案内筒２４を上方に引き上げることができる。すると、昇降案内筒２４に連結された基台ユニット２全体が持ち上がり、移動用キャスタ２１が浮き上がるので、据置き状態での安定性が向上する。
【００２５】
この移動型支持台１の取扱方法は以下の通りである。所定位置に据え置く際には、まず、カバー３１の側方から、操作穴３１１内に露出した操作杆３８の端面に適宜の工具を掛止して操作杆３８を回転させることにより、昇降ピラー３４を回転させて、ガイドピン４０をガイド溝２７の垂直部２７１の上端まで移動させる。そして、カバー３１に体重をかけて、昇降ユニット３を押し下げる。ガイドピン４０がガイド溝２７の垂直部２７１の下端に当接したら、さらに昇降ピラー３４を回転させ、ガイドピン４０をガイド溝２７の下端係止部２７３に沿って移動させる。これで、昇降ユニット３の下端が設置面に当接し、移動用キャスタ２１が浮き上がって移動型支持台１が定置される。
【００２６】
一方、移動型支持台１を移動させる際には、操作杆３８及び昇降ピラー３４を上記据置き操作と反対向きに回転させる。すると、昇降ユニット３が定荷重バネ２５の巻上力によって自然に上昇するので、ガイドピン４０がガイド溝２７の垂直部２７１の上端に当接したら、さらに昇降ピラー３４を回転させ、ガイドピン４０をガイド溝２７の上端係止部２７２に沿って移動させる。これで、昇降ユニット３が上昇状態で固定され、移動用キャスタ２１により移動可能となる。
【００２７】
このように、本発明によれば、昇降ユニット３が基台ユニット２から定荷重バネ２５を介して懸吊されるとともに、昇降案内装置によって昇降自在に保持されているので、据え置きや移動に際して、移動型支持台１自体を持ち上げたり傾けたりする必要がなく、容易に操作することができる。
【００２８】
なお、本発明の移動型支持台１は、上記した実施形態だけに限定されるものではなく、以下のような変形形態での実施も可能である。
【００２９】
操作杆３８や回転運動伝達機構を用いないで、昇降ピラー３４を直上に延長して上端をカバー３１の頂面から露出させ、カバー３１の上方から直接、昇降ピラー３４を回転させることができるようにしてもよい。
【００３０】
また、カバー３１の外側に露出させた操作杆３８の端面、あるいは昇降ピラー３４の端面に対するいたずら等を防止するために、カバー３１に形成した操作穴３１１に蓋や鍵を取り付けてもよい。
【００３１】
基台ユニット２から昇降ユニット３を懸吊する手段としては、一定の巻き上力が得られる定荷重バネ２５に替えて、コイルバネその他、適宜のバネ部材を利用することもできる。
【００３２】
回転運動伝達機構についても、かさ歯車に替えて、自在ジョイントその他の適宜の機構を採用することができる。ただし、かかる機構については、上記したかさ歯車と同様のギヤ比（減速比）を確保できるもの（例えばウォームギヤ等）がより好ましい。
【図面の簡単な説明】
【００３３】
【図１】本発明の実施形態にかかる移動型支持台の内部構造（移動可能な状態）を示す正面図である。
【図２】同じく、左側面図である。
【図３】上記移動型支持台の内部構造（据置き状態）を示す正面図である。
【図４】同じく、左側面図である。
【図５】上記実施形態における昇降案内装置の細部拡大図である。
【図６】上記実施形態における昇降案内筒の展開図である。
【符号の説明】
【００３４】
１      移動型支持台
２      基台ユニット
２１    キャスタ
２４    昇降案内筒
２５    定荷重バネ（バネ部材）
２７    ガイド溝
２７１  垂直部
２７２  上端係止部部
２７３  下端係止部
３      昇降ユニット
３１    カバー
３４    昇降ピラー
３８    操作杆
３９    かさ歯車（回転運動伝達機構）
４０    ガイドピン
【図１】
2005163393.tif 000003
【図２】
2005163393.tif 000004
【図３】
2005163393.tif 000005
【図４】
2005163393.tif 000006
【図５】
2005163393.tif 000007
【図６】
2005163393.tif 000008